(57)【要約】  本発明は、サービス伝送方法および装置、コンピュータ記憶媒体を開示し、前記方法は、ネットワーク機器が、第１サービスに対して第１エリアを構成することと、前記ネットワーク機器が、端末機器と前記第１サービスの第１接続を確立することと、前記ネットワーク機器が、前記第１サービスの第１接続に基づいて、前記端末機器と前記第１サービスの伝送を実行することであって、前記端末機器が前記第１サービスエリアで移動する場合、ハンドオーバプロセスを実行する必要がないこととを含む。
2021514566.tif 000002
【特許請求の範囲】
【請求項１】
サービス伝送方法であって、
ネットワーク機器が、第１サービスに対して第１エリアを構成することと、
前記ネットワーク機器が、端末機器と前記第１サービスの第１接続を確立することと、
前記ネットワーク機器が、前記第１サービスの第１接続に基づいて、前記端末機器と前記第１サービスの伝送を実行することであって、前記端末機器が前記第１サービスエリアで移動する場合、ハンドオーバプロセスを実行する必要がないこととを含む、前記サービス伝送方法。
【請求項２】
前記方法は、
前記ネットワーク機器が、前記第１サービスに対して、対応する第１接続を構成することをさらに含む、
請求項１に記載のサービス伝送方法。
【請求項３】
前記方法は、
前記ネットワーク機器が、端末機器と前記第１サービスの第１接続を確立する場合、前記第１サービスのサービス属性に従って、前記第１サービスに対応するエリア情報および／またはリンク構成情報を決定することと、
前記ネットワーク機器が、前記第１サービスに対応するエリア情報および／またはリンク構成情報を前記端末機器に送信することとをさらに含む、
請求項１に記載のサービス伝送方法。
【請求項４】
前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む、
請求項３に記載のサービス伝送方法。
【請求項５】
前記リンク構成情報は、
エアインターフェースリソース構成情報、ネットワーク機器間リンク構成情報、セキュリティ構成情報、非アクセス層構成情報のうちの少なくとも１つを含む、
請求項３または４に記載のサービス伝送方法。
【請求項６】
前記ネットワーク機器が、前記第１サービスに対応するエリア情報および／またはリンク構成情報を前記端末機器に送信することは、
前記ネットワーク機器が、前記端末機器によって送信された、前記エリア情報および／または前記リンク構成情報に対する要求メッセージを受信することと、
前記ネットワーク機器が、前記第１サービスに対応するエリア情報および／またはリンク構成情報を前記端末機器に送信することとを含む、
請求項３ないし５のいずれか一項に記載のサービス伝送方法。
【請求項７】
前記ネットワーク機器が、前記第１サービスに対応するエリア情報および／またはリンク構成情報を前記端末機器に送信することは、
前記ネットワーク機器がブロードキャスト情報を送信することであって、前記ブロードキャスト情報は、前記第１サービスに対応するエリア情報および／またはリンク構成情報を搬送して、前記端末機器が前記ブロードキャスト情報から前記第１サービスに対応するエリア情報および／またはリンク構成情報を受信するようにすることを含む、
請求項３ないし５のいずれか一項に記載のサービス伝送方法。
【請求項８】
前記リンク構成情報は、前記エリア情報に対応する前記第１エリアで有効である、
請求項３ないし７のいずれか一項に記載のサービス伝送方法。
【請求項９】
前記ネットワーク機器が、第１サービスに対して第１エリアを構成することは、
前記ネットワーク機器が、端末機器によって送信された、前記第１サービスに対するサービスエリア確立要求メッセージを受信することと、
前記ネットワーク機器が、前記端末機器の属性情報に従って、前記第１サービスに対して第１エリアを構成することとを含む、
請求項１ないし８のいずれか一項に記載のサービス伝送方法。
【請求項１０】
前記端末機器の属性情報は、
端末レベル情報、端末タイプ情報、前記第１サービスの属性情報、ネットワークスライス情報、端末モビリティ情報のうちの少なくとも１つを含む、
請求項９に記載のサービス伝送方法。
【請求項１１】
サービス伝送方法であって、
端末機器が、ネットワーク機器と第１サービスの第１接続を確立することであって、前記第１サービスのサービスエリアは第１エリアであることと、
前記端末機器が、前記第１サービスの第１接続に基づいて、前記第１エリアで、前記ネットワーク機器と前記第１サービスの伝送を実行することであって、前記端末機器が前記第１サービスエリアで移動する場合、ハンドオーバプロセスを実行する必要がないこととを含む、前記サービス伝送方法。
【請求項１２】
前記方法は、
前記端末機器が前記ネットワーク機器と前記第１サービスの第１接続を確立する場合、前記ネットワーク機器によって送信された、前記第１サービスに対応するエリア情報および／またはリンク構成情報を受信することをさらに含む、
請求項１１に記載のサービス伝送方法。
【請求項１３】
前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む、
請求項１２に記載のサービス伝送方法。
【請求項１４】
前記リンク構成情報は、
エアインターフェースリソース構成情報、ネットワーク機器間リンク構成情報、セキュリティ構成情報、非アクセス層構成情報のうちの少なくとも１つを含む、
請求項１２または１３に記載のサービス伝送方法。
【請求項１５】
前記端末機器が、前記ネットワーク機器によって送信された、前記第１サービスに対応するエリア情報および／またはリンク構成情報を受信することは、
前記端末機器が、前記エリア情報および／または前記リンク構成情報に対するリンク構成要求メッセージを前記ネットワーク機器に送信することと、
前記端末機器が、前記ネットワーク機器によって送信された、前記第１サービスに対応するエリア情報および／またはリンク構成情報を受信することとを含む、
請求項１２ないし１４のいずれか一項に記載のサービス伝送方法。
【請求項１６】
前記端末機器が、前記ネットワーク機器によって送信された、前記第１サービスに対応するエリア情報および／またはリンク構成情報を受信することは、
前記端末機器が、前記ネットワーク機器によって送信されたブロードキャスト情報を受信することであって、前記ブロードキャスト情報は、前記第１サービスに対応するエリア情報および／またはリンク構成情報を搬送することと、
前記端末機器が、前記ブロードキャスト情報から前記第１サービスに対応するエリア情報および／またはリンク構成情報を取得することとを含む、
請求項１２ないし１４のいずれか一項に記載のサービス伝送方法。
【請求項１７】
前記リンク構成情報は、前記エリア情報に対応する前記第１エリアで有効である、
請求項１２ないし１６のいずれか一項に記載のサービス伝送方法。
【請求項１８】
前記方法は、
前記端末機器が、前記ネットワーク機器によって送信された、前記第１サービスに対応するリンク構成情報を受信した後、前記第１サービスに対応するリンク構成情報を保存することをさらに含む、
請求項１２ないし１７のいずれか一項に記載のサービス伝送方法。
【請求項１９】
前記方法は、
前記端末機器が前記第１エリアにある場合、ローカルに保存されたリンク構成情報を使用して、前記ネットワーク機器と前記第１サービスの伝送を実行すること、または、前記ネットワーク機器によって送信された、更新されたリンク構成情報を受信し、前記更新されたリンク構成情報に基づいて、前記ネットワーク機器と前記第１サービスの伝送を実行することをさらに含む、
請求項１８に記載のサービス伝送方法。
【請求項２０】
前記方法は、
前記端末機器が前記第１エリアの外に移動された場合、保存した前記第１サービスに対応するリンク構成情報を削除することをさらに含む、
請求項１８または１９に記載のサービス伝送方法。
【請求項２１】
前記方法は、
前記端末機器が、前記第１サービスに対するサービスエリア確立要求メッセージを前記ネットワーク機器に送信して、前記ネットワーク機器が前記端末機器の属性情報に従って、前記第１サービスに対して第１エリアを構成するようにすることをさらに含む、
請求項１１ないし２０のいずれか一項に記載のサービス伝送方法。
【請求項２２】
前記端末機器の属性情報は、
端末レベル情報、端末タイプ情報、前記第１サービスの属性情報、ネットワークスライス情報、端末モビリティ情報のうちの少なくとも１つを含む、
請求項２１に記載のサービス伝送方法。
【請求項２３】
ネットワーク機器に適用されるサービス伝送装置であって、
第１サービスに対して第１エリアを構成するように構成される構成ユニットと、
端末機器と前記第１サービスの第１接続を確立するように構成される確立ユニットと、
前記第１サービスの第１接続に基づいて、前記端末機器と前記第１サービスの伝送を実行するように構成される通信ユニットであって、前記端末機器が前記第１サービスエリアで移動する場合、ハンドオーバプロセスを実行する必要がない通信ユニットとを含む、前記サービス伝送装置。
【請求項２４】
前記構成ユニットは、さらに、前記第１サービスに、対応する第１接続を構成するように構成される、
請求項２３に記載のサービス伝送装置。
【請求項２５】
前記装置は、さらに、
前記第１サービスのサービス属性に従って、前記第１サービスに対応するエリア情報および／またはリンク構成情報を決定するように構成される決定ユニットと、
前記第１サービスに対応するエリア情報および／またはリンク構成情報を前記端末機器に送信するように構成される送信ユニットとを含む、
請求項２３に記載のサービス伝送装置
【請求項２６】
前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む、
請求項２５に記載のサービス伝送装置。
【請求項２７】
前記リンク構成情報は、
エアインターフェースリソース構成情報、ネットワーク機器間リンク構成情報、セキュリティ構成情報、非アクセス層構成情報のうちの少なくとも１つを含む、
請求項２５または２６に記載のサービス伝送装置。
【請求項２８】
前記送信ユニットは、前記端末機器によって送信された、前記エリア情報および／または前記リンク構成情報に対する要求メッセージを受信し、前記第１サービスに対応するエリア情報および／またはリンク構成情報を前記端末機器に送信するように構成される、
請求項２５ないし２７のいずれか一項に記載のサービス伝送装置。
【請求項２９】
前記送信ユニットは、ブロードキャスト情報を送信するように構成され、前記ブロードキャスト情報は、前記第１サービスに対応するエリア情報および／またはリンク構成情報を搬送して、前記端末機器が前記ブロードキャスト情報から前記第１サービスに対応するエリア情報および／またはリンク構成情報を受信するようにする、
請求項２５ないし２７のいずれか一項に記載のサービス伝送装置。
【請求項３０】
前記リンク構成情報は、前記エリア情報に対応する前記第１エリアで有効である、
請求項２５ないし２９のいずれか一項に記載のサービス伝送装置。
【請求項３１】
前記構成ユニットは、端末機器によって送信された、前記第１サービスに対するサービスエリア確立要求メッセージを受信し、前記端末機器の属性情報に従って、前記第１サービスに対して第１エリアを構成するように構成される、
請求項２３ないし３０のいずれか一項に記載のサービス伝送装置。
【請求項３２】
前記端末機器の属性情報は、
端末レベル情報、端末タイプ情報、前記第１サービスの属性情報、ネットワークスライス情報、端末モビリティ情報のうちの少なくとも１つを含む、
請求項３１に記載のサービス伝送装置。
【請求項３３】
端末機器に適用されるサービス伝送装置であって、
ネットワーク機器と第１サービスの第１接続を確立するように構成される確立ユニットであって、前記第１サービスのサービスエリアは第１エリアである確立ユニットと、
前記第１サービスの第１接続に基づいて、前記第１エリアで、前記ネットワーク機器と前記第１サービスの伝送を実行するように構成される通信ユニットであって、前記端末機器が前記第１サービスエリアで移動する場合、ハンドオーバプロセスを実行する必要がない通信ユニットとを含む、前記サービス伝送装置。
【請求項３４】
前記装置は、さらに、
前記ネットワーク機器によって送信された、前記第１サービスに対応するエリア情報および／またはリンク構成情報を受信するように構成される受信ユニットを含む、
請求項３３に記載のサービス伝送装置。
【請求項３５】
前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む、
請求項３４に記載のサービス伝送装置。
【請求項３６】
前記リンク構成情報は、
エアインターフェースリソース構成情報、ネットワーク機器間リンク構成情報、セキュリティ構成情報、非アクセス層構成情報のうちの少なくとも１つを含む、
請求項３４または３５に記載のサービス伝送装置。
【請求項３７】
前記受信ユニットは、前記エリア情報および／または前記リンク構成情報に対するリンク構成要求メッセージを前記ネットワーク機器に送信し、前記ネットワーク機器によって送信された、前記第１サービスに対応するエリア情報および／またはリンク構成情報を受信するように構成される、
請求項３４ないし３６のいずれか一項に記載のサービス伝送装置。
【請求項３８】
前記受信ユニットは、前記ネットワーク機器によって送信されたブロードキャスト情報を受信し、前記ブロードキャスト情報は、前記第１サービスに対応するエリア情報および／またはリンク構成情報を搬送し、前記ブロードキャスト情報から前記第１サービスに対応するエリア情報および／またはリンク構成情報を取得するように構成される、
請求項３４ないし３６のいずれか一項に記載のサービス伝送装置。
【請求項３９】
前記リンク構成情報は、前記エリア情報に対応する前記第１エリアで有効である、
請求項３４ないし３８のいずれか一項に記載のサービス伝送装置。
【請求項４０】
前記装置は、さらに、
前記ネットワーク機器によって送信された、前記第１サービスに対応するリンク構成情報を受信した後、前記第１サービスに対応するリンク構成情報を保存するように構成される記憶ユニットを含む、
請求項３４ないし３９のいずれか一項に記載のサービス伝送装置。
【請求項４１】
前記通信ユニットは、前記端末機器が前記第１エリアにある場合、ローカルに保存されたリンク構成情報を使用して、前記ネットワーク機器と前記第１サービスの伝送を実行し、または、前記ネットワーク機器によって送信された、更新されたリンク構成情報を受信し、前記更新されたリンク構成情報に基づいて、前記ネットワーク機器と前記第１サービスの伝送を実行するように構成される、
請求項４０に記載のサービス伝送装置。
【請求項４２】
前記記憶ユニットは、さらに、前記端末機器が前記第１エリアの外に移動された場合、保存した前記第１サービスに対応するリンク構成情報を削除するように構成される、
請求項４０または４１に記載のサービス伝送装置。
【請求項４３】
前記装置は、
前記第１サービスに対するサービスエリア確立要求メッセージを前記ネットワーク機器に送信して、前記ネットワーク機器が前記端末機器の属性情報に従って、前記第１サービスに対して第１エリアを構成するように構成されるサービスエリア要求ユニットをさらに含む、
請求項３３ないし４２のいずれか一項に記載のサービス伝送装置。
【請求項４４】
前記端末機器の属性情報は、
端末レベル情報、端末タイプ情報、前記第１サービスの属性情報、ネットワークスライス情報、端末モビリティ情報のうちの少なくとも１つを含む、
請求項４３に記載のサービス伝送装置。
【請求項４５】
コンピュータ実行可能な命令を記憶したコンピュータ記憶媒体であって、
前記コンピュータ実行可能な命令がプロセッサによって実行されるとき、請求項１ないし１０のいずれか一項に記載のサービス伝送方法のステップ、または請求項１１ないし２２のいずれか一項に記載のサービス伝送方法のステップを実現する、前記コンピュータ記憶媒体。
【発明の詳細な説明】
【技術分野】
【０００１】
本発明は、無線通信の技術分野に関し、特に、サービス伝送方法および装置、コンピュータ記憶媒体に関する。
【背景技術】
【０００２】
移動通信におけるハンドオーバとは、モバイル端末が基地局との間でサービス伝送を実行するときに、様々な理由で、サービス伝送は、元々使用されたチャネルからより適切なチャネルに転送する必要があるプロセスを指す。
【０００３】
例えば、モバイル端末が異なるネットワークエリア間で移動するプロセスでは、ハンドオーバする方法により異なるネットワークエリア間でサービスの継続性を実現する必要がある。しかしながら、ハンドオーバのプロセスではサービスの中断につながりやすく、それにより、ユーザの体験が低下する。
【発明の概要】
【発明が解決しようとする課題】
【０００４】
上記の技術的課題を解決するために、本発明の実施例は、サービス伝送方法および装置、コンピュータ記憶媒体を提供する。
【課題を解決するための手段】
【０００５】
本発明の実施例によって提供されるサービス伝送方法は、
ネットワーク機器が、第１サービスに対して第１エリアを構成することと、
前記ネットワーク機器が、端末機器と前記第１サービスの第１接続を確立することと、
前記ネットワーク機器が、前記第１サービスの第１接続に基づいて、前記端末機器と前記第１サービスの伝送を実行することであって、前記端末機器が前記第１サービスエリアで移動する場合、ハンドオーバプロセスを実行する必要がないこととを含む。
【０００６】
本発明の実施例では、前記方法は、
前記ネットワーク機器が、前記第１サービスに対して、対応する第１接続を構成することをさらに含む。
【０００７】
本発明の実施例では、前記方法は、
前記ネットワーク機器が、端末機器と前記第１サービスの第１接続を確立する場合、前記第１サービスのサービス属性に従って、前記第１サービスに対応するエリア情報および／またはリンク構成情報を決定することと、
前記ネットワーク機器が、前記第１サービスに対応するエリア情報および／またはリンク構成情報を前記端末機器に送信することとをさらに含む。
【０００８】
本発明の実施例では、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【０００９】
本発明の実施例では、前記リンク構成情報は、
エアインターフェースリソース構成情報、ネットワーク機器間リンク構成情報、セキュリティ構成情報、非アクセス層構成情報のうちの少なくとも１つを含む。
【００１０】
本発明の実施例では、前記ネットワーク機器が、前記第１サービスに対応するエリア情報および／またはリンク構成情報を前記端末機器に送信することは、
前記ネットワーク機器が、前記端末機器によって送信された、前記エリア情報および／または前記リンク構成情報に対する要求メッセージを受信することと、
前記ネットワーク機器が、前記第１サービスに対応するエリア情報および／またはリンク構成情報を前記端末機器に送信することとを含む。
【００１１】
本発明の実施例では、前記ネットワーク機器が、前記第１サービスに対応するエリア情報および／またはリンク構成情報を前記端末機器に送信することは、
前記ネットワーク機器がブロードキャスト情報を送信することであって、前記ブロードキャスト情報は、前記第１サービスに対応するエリア情報および／またはリンク構成情報を搬送して、前記端末機器が前記ブロードキャスト情報から前記第１サービスに対応するエリア情報および／またはリンク構成情報を受信するようにすることを含む。
【００１２】
本発明の実施例では、前記リンク構成情報は、前記エリア情報に対応する前記第１エリアで有効である。
【００１３】
本発明の実施例では、前記ネットワーク機器が、第１サービスに対して第１エリアを構成することは、
前記ネットワーク機器が、端末機器によって送信された、前記第１サービスに対するサービスエリア確立要求メッセージを受信することと、
前記ネットワーク機器が、前記端末機器の属性情報に従って、前記第１サービスに対して第１エリアを構成することとを含む。
【００１４】
本発明の実施例では、前記端末機器の属性情報は、
端末レベル情報、端末タイプ情報、前記第１サービスの属性情報、ネットワークスライス情報、端末モビリティ情報のうちの少なくとも１つを含む。
【００１５】
本発明の実施例によって提供されるサービス伝送方法は、
端末機器が、ネットワーク機器と第１サービスの第１接続を確立することであって、前記第１サービスのサービスエリアは第１エリアであることと、
前記端末機器が、前記第１サービスの第１接続に基づいて、前記第１エリア内で、前記ネットワーク機器と前記第１サービスの伝送を実行することであって、前記端末機器が前記第１サービスエリアで移動する場合、ハンドオーバプロセスを実行する必要がないこととを含む。
【００１６】
本発明の実施例では、前記方法は、
前記端末機器が前記ネットワーク機器と前記第１サービスの第１接続を確立する場合、前記ネットワーク機器によって送信された、前記第１サービスに対応するエリア情報および／またはリンク構成情報を受信することをさらに含む。
【００１７】
本発明の実施例では、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【００１８】
本発明の実施例では、前記リンク構成情報は、
エアインターフェースリソース構成情報、ネットワーク機器間リンク構成情報、セキュリティ構成情報、非アクセス層構成情報のうちの少なくとも１つを含む。
【００１９】
本発明の実施例では、前記端末機器が、前記ネットワーク機器によって送信された、前記第１サービスに対応するエリア情報および／またはリンク構成情報を受信することは、
前記端末機器が、前記エリア情報および／または前記リンク構成情報に対するリンク構成要求メッセージを前記ネットワーク機器に送信することと、
前記端末機器が、前記ネットワーク機器によって送信された、前記第１サービスに対応するエリア情報および／またはリンク構成情報を受信することとを含む。
【００２０】
本発明の実施例では、前記端末機器が、前記ネットワーク機器によって送信された、前記第１サービスに対応するエリア情報および／またはリンク構成情報を受信することは、
前記端末機器が、前記ネットワーク機器によって送信されたブロードキャスト情報を受信することであって、前記ブロードキャスト情報は、前記第１サービスに対応するエリア情報および／またはリンク構成情報を搬送することと、
前記端末機器が、前記ブロードキャスト情報から前記第１サービスに対応するエリア情報および／またはリンク構成情報を取得することとを含む。
【００２１】
本発明の実施例では、前記リンク構成情報は、前記エリア情報に対応する前記第１エリアで有効である。
【００２２】
本発明の実施例では、前記方法は、
前記端末機器が、前記ネットワーク機器によって送信された、前記第１サービスに対応するリンク構成情報を受信した後、前記第１サービスに対応するリンク構成情報を保存することをさらに含む。
【００２３】
本発明の実施例では、前記方法は、
前記端末機器が前記第１エリアにある場合、ローカルに保存されたリンク構成情報を使用して、前記ネットワーク機器と前記第１サービスの伝送を実行すること、または、前記ネットワーク機器によって送信された、更新されたリンク構成情報を受信し、前記更新されたリンク構成情報に基づいて、前記ネットワーク機器と前記第１サービスの伝送を実行することをさらに含む。
【００２４】
本発明の実施例では、前記方法は、
前記端末機器が前記第１エリアの外に移動された場合、保存した前記第１サービスに対応するリンク構成情報を削除することをさらに含む。
【００２５】
本発明の実施例では、前記方法は、
前記端末機器が、前記第１サービスに対するサービスエリア確立要求メッセージを前記ネットワーク機器に送信して、前記ネットワーク機器が前記端末機器の属性情報に従って、前記第１サービスに対して第１エリアを構成するようにすることをさらに含む。
【００２６】
本発明の実施例では、前記端末機器の属性情報は、
端末レベル情報、端末タイプ情報、前記第１サービスの属性情報、ネットワークスライス情報、端末モビリティ情報のうちの少なくとも１つを含む。
【００２７】
本発明の実施例によって提供されるサービス伝送装置は、ネットワーク機器に適用され、前記装置は、
第１サービスに対して第１エリアを構成するように構成される構成ユニットと、
端末機器と前記第１サービスの第１接続を確立するように構成される確立ユニットと、
前記第１サービスの第１接続に基づいて、前記端末機器と前記第１サービスの伝送を実行するように構成される通信ユニットであって、前記端末機器が前記第１サービスエリアで移動する場合、ハンドオーバプロセスを実行する必要がない通信ユニットとを含む。
【００２８】
本発明の実施例では、前記構成ユニットは、さらに、前記第１サービスに、対応する第１接続を構成するように構成される。
【００２９】
本発明の実施例では、前記装置は、さらに、
前記第１サービスのサービス属性に従って、前記第１サービスに対応するエリア情報および／またはリンク構成情報を決定するように構成される決定ユニットと、
前記第１サービスに対応するエリア情報および／またはリンク構成情報を前記端末機器に送信するように構成される送信ユニットとを含む。
【００３０】
本発明の実施例では、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【００３１】
本発明の実施例では、前記リンク構成情報は、
エアインターフェースリソース構成情報、ネットワーク機器間リンク構成情報、セキュリティ構成情報、非アクセス層構成情報のうちの少なくとも１つを含む。
【００３２】
本発明の実施例では、前記送信ユニットは、前記端末機器によって送信された、前記エリア情報および／または前記リンク構成情報に対する要求メッセージを受信し、前記第１サービスに対応するエリア情報および／またはリンク構成情報を前記端末機器に送信するように構成される。
【００３３】
本発明の実施例では、前記送信ユニットは、ブロードキャスト情報を送信するように構成され、ここで、前記ブロードキャスト情報は、前記第１サービスに対応するエリア情報および／またはリンク構成情報を搬送して、前記端末機器が前記ブロードキャスト情報から前記第１サービスに対応するエリア情報および／またはリンク構成情報を受信するようにする。
【００３４】
本発明の実施例では、前記リンク構成情報は、前記エリア情報に対応する前記第１エリアで有効である。
【００３５】
本発明の実施例では、前記構成ユニットは、端末機器によって送信された、前記第１サービスに対するサービスエリア確立要求メッセージを受信し、前記端末機器の属性情報に従って、前記第１サービスに対して第１エリアを構成するように構成される。
【００３６】
本発明の実施例では、前記端末機器の属性情報は、
端末レベル情報、端末タイプ情報、前記第１サービスの属性情報、ネットワークスライス情報、端末モビリティ情報のうちの少なくとも１つを含む。
【００３７】
本発明の実施例によって提供されるサービス伝送装置は、端末機器に適用され、前記装置は、
ネットワーク機器と第１サービスの第１接続を確立するように構成される確立ユニットであって、前記第１サービスのサービスエリアは第１エリアである確立ユニットと、
前記第１サービスの第１接続に基づいて、前記第１エリアで、前記ネットワーク機器と前記第１サービスの伝送を実行するように構成される通信ユニットであって、前記端末機器が前記第１サービスエリアで移動する場合、ハンドオーバプロセスを実行する必要がない通信ユニットとを含む。
【００３８】
本発明の実施例では、前記装置は、さらに、
前記ネットワーク機器によって送信された、前記第１サービスに対応するエリア情報および／またはリンク構成情報を受信するように構成される受信ユニットを含む。
【００３９】
本発明の実施例では、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【００４０】
本発明の実施例では、前記リンク構成情報は、
エアインターフェースリソース構成情報、ネットワーク機器間リンク構成情報、セキュリティ構成情報、非アクセス層構成情報のうちの少なくとも１つを含む。
【００４１】
本発明の実施例では、前記受信ユニットは、前記エリア情報および／または前記リンク構成情報に対するリンク構成要求メッセージを前記ネットワーク機器に送信し、前記ネットワーク機器によって送信された、前記第１サービスに対応するエリア情報および／またはリンク構成情報を受信するように構成される。
【００４２】
本発明の実施例では、前記受信ユニットは、前記ネットワーク機器によって送信されたブロードキャスト情報を受信し、ここで、前記ブロードキャスト情報は、前記第１サービスに対応するエリア情報および／またはリンク構成情報を搬送し、前記ブロードキャスト情報から前記第１サービスに対応するエリア情報および／またはリンク構成情報を取得するように構成される。
【００４３】
本発明の実施例では、前記リンク構成情報は、前記エリア情報に対応する前記第１エリアで有効である。
【００４４】
本発明の実施例では、前記装置は、さらに、
前記ネットワーク機器によって送信された、前記第１サービスに対応するリンク構成情報を受信した後、前記第１サービスに対応するリンク構成情報を保存するように構成される記憶ユニットを含む。
【００４５】
本発明の実施例では、前記通信ユニットは、前記端末機器が前記第１エリアにある場合、ローカルに保存されたリンク構成情報を使用して、前記ネットワーク機器と前記第１サービスの伝送を実行し、または、前記ネットワーク機器によって送信された、更新されたリンク構成情報を受信し、前記更新されたリンク構成情報に基づいて、前記ネットワーク機器と前記第１サービスの伝送を実行するように構成される。
【００４６】
本発明の実施例では、前記記憶ユニットは、さらに、前記端末機器が前記第１エリアの外に移動された場合、保存した前記第１サービスに対応するリンク構成情報を削除するように構成される。
【００４７】
本発明の実施例では、前記装置は、
前記第１サービスに対するサービスエリア確立要求メッセージを前記ネットワーク機器に送信して、前記ネットワーク機器が前記端末機器の属性情報に従って、前記第１サービスに対して第１エリアを構成するように構成されるサービスエリア要求ユニットをさらに含む。
【００４８】
本発明の実施例では、前記端末機器の属性情報は、
端末レベル情報、端末タイプ情報、前記第１サービスの属性情報、ネットワークスライス情報、端末モビリティ情報のうちの少なくとも１つを含む。
【００４９】
本発明の実施例によって提供される、コンピュータ実行可能な命令を記憶したコンピュータ記憶媒体は、前記コンピュータ実行可能な命令がプロセッサによって実行されるとき、上記のサービス伝送方法を実現する。
【発明の効果】
【００５０】
本発明の実施例の技術的解決策では、ネットワーク機器は、第１サービスに対して第１エリアを構成し、前記ネットワーク機器は、端末機器と前記第１サービスの第１接続を確立し、前記ネットワーク機器は、前記第１サービスの第１接続に基づいて、前記端末機器と前記第１サービスの伝送を実行し、ここで、前記端末機器が前記第１エリアで移動する場合、ハンドオーバプロセスを実行する必要がない。本発明の実施例の技術的解決策を使用して、特定のサービスに対して特定のサービスエリアを構成し、これらの特定サービスを伝送する端末機器が前記特定のサービスエリアで移動する場合、ハンドオーバプロセスを実行する必要がないため、サービスの継続性を保証することができ、ユーザ体験を向上させる。
【図面の簡単な説明】
【００５１】
ここで説明した図面は、更なる理解を提供するために使用され、本出願の一部を構成し、本発明の例示的な実施例およびそれらの説明は、本発明を説明するために使用され、本発明に対して不当た限定を構成しない。図面において、
【図１】本発明の実施例の５Ｇネットワークのシステムアーキテクチャ図である。
【図２】本発明の実施例の４Ｇネットワークのシステムアーキテクチャ図である。
【図３】本発明の実施例のサービス伝送方法の第１の例示的なフローチャートである。
【図４】本発明の実施例のサービス伝送方法の第２の例示的なフローチャートである。
【図５】本発明の実施例のサービス伝送装置の第１の例示的な構造的構成図である。
【図６】本発明の実施例のサービス伝送装置の第２の例示的な構造的構成図である。
【図７】本発明の実施例のコンピュータ機器の例示的な構造的構成図である。
【発明を実施するための形態】
【００５２】
本発明の実施例の特徴および技術内容をより詳細に理解するために、以下、図面を参照して本発明の実施例の具現化を詳細に説明し、添付の図面は、参照用にすぎず、本発明の実施例を限定することを意図するものではない。
【００５３】
図１は、本発明の実施例の５Ｇネットワークのシステムアーキテクチャ図であり、図１に示されたように、５Ｇネットワークシステムに関する機器は、
端末（ＵＥ：Ｕｓｅｒ  Ｅｑｕｉｐｍｅｎｔ）、無線アクセスネットワーク（ＲＡＮ：Ｒａｄｉｏ  Ａｃｃｅｓｓ  Ｎｅｔｗｏｒｋ）、ユーザプレーン機能（ＵＰＦ：Ｕｓｅｒ  Ｐｌａｎｅ  Ｆｕｎｃｔｉｏｎ）、データネットワーク（ＤＮ：Ｄａｔａ  Ｎｅｔｗｏｒｋ）、アクセスおよびモビリティ管理機能（ＡＭＦ：Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ）、セッション管理機能（ＳＭＦ：Ｓｅｓｓｉｏｎ  Ｍａｎａｇｅｍｅｎｔ  Ｆｕｎｃｔｉｏｎ）、ポリシー制御機能（ＰＣＦ：Ｐｏｌｉｃｙ  Ｃｏｎｔｒｏｌ  ｆｕｎｃｔｉｏｎ）、アプリケーション機能（ＡＦ：Ａｐｐｌｉｃａｔｉｏｎ  Ｆｕｎｃｔｉｏｎ）、認証サーバ機能（ＡＵＳＦ：Ａｕｔｈｅｎｔｉｃａｔｉｏｎ  Ｓｅｒｖｅｒ  Ｆｕｎｃｔｉｏｎ）、統合されたデータ管理（ＵＤＭ：Ｕｎｉｆｉｅｄ  Ｄａｔａ  Ｍａｎａｇｅｍｅｎｔ）を含む。
【００５４】
図２は、本発明の実施例の４Ｇネットワークのシステムアーキテクチャ図であり、図２に示されたように、４Ｇネットワークシステムに関する機器は、
端末（ＵＥ：Ｕｓｅｒ  Ｅｑｕｉｐｍｅｎｔ）、進化型ユニバーサル地上無線アクセス（Ｅ−ＵＴＲＡＮ：Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）、モビリティ管理エンティティ（ＭＭＥ：  Ｍｏｂｉｌｉｔｙ  Ｍａｎａｇｅｍｅｎｔ  Ｅｎｔｉｔｙ）要素、サービスＧＰＲＳサポートノード（ＳＧＳＮ：Ｓｅｒｖｉｎｇ  ＧＰＲＳ  Ｓｕｐｐｏｒｔ  Ｎｏｄｅ）、ホーム加入者サーバ（ＨＳＳ：Ｈｏｍｅ  Ｓｕｂｓｃｒｉｂｅｒ  Ｓｅｒｖｅｒ）、サービングゲートウェイ（Ｓｅｒｖｉｎｇ  Ｇａｔｅｗａｙ）、パケットデータネットワークゲートウェイ（ＰＤＮ  Ｇａｔｅｗａｙ：Ｐａｃｋｅｔ  Ｄａｔａ  Ｎｅｔｗｏｒｋ  Ｇａｔｅｗａｙ）、ポリシーおよび課金ルール機能ユニット（ＰＣＲＦ：Ｐｏｌｉｃｙ  ａｎｄ  Ｃｈａｒｇｉｎｇ  Ｒｕｌｅｓ  Ｆｕｎｃｔｉｏｎ）を含む。
【００５５】
上記の図１、図２の例は、本発明の実施例を実現するネットワークアーキテクチャの一例にすぎず、本発明の実施例は、上記の図１、図２に記載のネットワーク構造に限定されない。
【００５６】
図３は、本発明の実施例のサービス伝送方法の第１の例示的なフローチャートであり、図３に示されたように、前記サービス伝送方法は、次のステップを含む。
【００５７】
ステップ３０１において、ネットワーク機器は、第１サービスに対して第１エリアを構成する。
【００５８】
本発明の実施例では、ネットワーク機器は、特定のサービスに特定のサービスエリアを構成し、例えば、ネットワーク機器は、第１サービスに対して第１エリアを構成する。ネットワーク機器は、例えば、第２のサービスに第２のサービスエリアを構成し、第３のサービスに第３のサービスエリアを構成するなど、他のサービスに構成してもよいことをに留意されたい。
【００５９】
本発明の実施例では、ネットワーク機器は、第１エリアで、前記第１サービスに、対応する第１接続を構成する。ここで、前記第１サービスの第１接続は、第１サービスを実行する端末機器が第１エリアで移動する場合、ハンドオーバプロセスを実行する必要がない特徴を有し、それにより、サービスの継続性を確保する。
【００６０】
一実施形態において、前記ネットワーク機器は、端末機器によって送信された、前記第１サービスに対するサービスエリア確立要求メッセージを受信し、前記ネットワーク機器は、前記端末機器の属性情報に従って、前記第１サービスに対して第１エリアを構成する。
【００６１】
ここで、前記端末機器の属性情報は、
端末レベル情報、端末タイプ情報、前記第１サービスの属性情報、ネットワークスライス情報、端末モビリティ情報のうちの少なくとも１つを含む。
【００６２】
ステップ３０２において、前記ネットワーク機器は、端末機器と前記第１サービスの第１接続を確立する。
【００６３】
本発明の実施例では、前記ネットワーク機器は、端末機器と前記第１サービスの第１接続を確立する場合、前記第１サービスのサービス属性に従って、前記第１サービスに対応するエリア情報および／またはリンク構成情報を決定し、前記ネットワーク機器は、前記第１サービスに対応するエリア情報および／またはリンク構成情報を前記端末機器に送信する。
【００６４】
一実施形態において、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【００６５】
上記の技術案では、エリア情報は、連続したエリア情報であってもよく、不連続なエリア情報であってもよい。
【００６６】
一実施形態において、前記リンク構成情報は、
エアインターフェースリソース構成情報、ネットワーク機器間リンク構成情報、セキュリティ構成情報、非アクセス層構成情報のうちの少なくとも１つを含む。
【００６７】
本発明の実施例では、前記ネットワーク機器が、前記第１サービスに対応するエリア情報および／またはリンク構成情報を前記端末機器に送信することは、以下の方式により実現されることができる。
【００６８】
第１の方式として、前記ネットワーク機器は、前記端末機器によって送信された、前記エリア情報および／または前記リンク構成情報に対する要求メッセージを受信し、前記ネットワーク機器は、前記第１サービスに対応するエリア情報および／またはリンク構成情報を前記端末機器に送信する。
【００６９】
第２の方式として、前記ネットワーク機器はブロードキャスト情報を送信し、ここで、前記ブロードキャスト情報は、前記第１サービスに対応するエリア情報および／またはリンク構成情報を搬送して、前記端末機器が前記ブロードキャスト情報から前記第１サービスに対応するエリア情報および／またはリンク構成情報を受信するようにする。
【００７０】
本発明の実施例では、前記リンク構成情報は、前記エリア情報に対応する前記第１エリアで有効である。
【００７１】
本発明の実施例では、端末機器は、最初の方式または第２の方式により第１サービスに対応するリンク構成情報を取得することができ、一実施形態において、第１サービスに対応するリンク構成情報が更新され、端末機器は、再び最初の方式または第２の方式により、更新された第１サービスに対応するリンク構成情報を取得することができる。
【００７２】
例えば、端末機器が第１エリア内に移動する場合、上記の第１の方式により第１サービスに対応するリンク構成情報を取得し、その後、第２の方式により、第１サービスに対応するリンク構成情報を周期的に更新する。
【００７３】
ステップ３０３において、前記ネットワーク機器は、前記第１サービスの第１接続に基づいて、前記端末機器と前記第１サービスの伝送を実行し、ここで、前記端末機器が前記第１サービスエリアで移動する場合、ハンドオーバプロセスを実行する必要がない。
【００７４】
本発明の実施例では、端末が前記第１サービスエリアのネットワークに移動する場合、保存されたリンク構成情報を使用してネットワークと通信し、またはネットワークにおけるブロードキャスト情報を介して新しいリンク構成を受信し、新しいリンク構成を使用してネットワークと通信する。
【００７５】
図４は、本発明の実施例のサービス伝送方法の第２の例示的なフローチャートであり、図４に示されたように、前記サービス伝送方法は、次のステップを含む。
【００７６】
ステップ４０１において、端末機器は、ネットワーク機器と第１サービスの第１接続を確立し、ここで、前記第１サービスのサービスエリアは第１エリアである。
【００７７】
本発明の実施例では、前記端末機器が前記ネットワーク機器と前記第１サービスの第１接続を確立する場合、前記ネットワーク機器によって送信された、前記第１サービスに対応するエリア情報および／またはリンク構成情報を受信する。
【００７８】
一実施形態において、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【００７９】
一実施形態において、前記リンク構成情報は、
エアインターフェースリソース構成情報、ネットワーク機器間リンク構成情報、セキュリティ構成情報、非アクセス層構成情報のうちの少なくとも１つを含む。
【００８０】
上記の技術案では、前記端末機器が、前記ネットワーク機器によって送信された、前記第１サービスに対応するエリア情報および／またはリンク構成情報を受信することは、以下の方式により実現されることができる。
【００８１】
第１の方式として、前記端末機器は、前記ネットワーク機器に前記エリア情報および／または前記リンク構成情報に対するリンク構成要求メッセージを送信し、前記端末機器は、前記ネットワーク機器によって送信された、前記第１サービスに対応するエリア情報および／またはリンク構成情報を受信する。
【００８２】
第２の方式として、前記端末機器は、前記ネットワーク機器によって送信されたブロードキャスト情報を受信し、ここで、前記ブロードキャスト情報は、前記第１サービスに対応するエリア情報および／またはリンク構成情報を搬送し、前記端末機器は、前記ブロードキャスト情報から前記第１サービスに対応するエリア情報および／またはリンク構成情報を取得する。
【００８３】
本発明の実施例では、前記リンク構成情報は、前記エリア情報に対応する前記第１エリアで有効である。
【００８４】
一実施形態において、前記方法は、
前記端末機器が、前記ネットワーク機器によって送信された、前記第１サービスに対応するリンク構成情報を受信した後、前記第１サービスに対応するリンク構成情報を保存することをさらに含む。
【００８５】
これに基づいて、前記端末機器が前記第１エリアにある場合、ローカルに保存されたリンク構成情報を使用して、前記ネットワーク機器と前記第１サービスの伝送を実行し、または、前記ネットワーク機器によって送信された、更新されたリンク構成情報を受信し、前記更新されたリンク構成情報に基づいて、前記ネットワーク機器と前記第１サービスの伝送を実行する。
【００８６】
なお、前記端末機器が前記第１エリアの外に移動された場合、保存した前記第１サービスに対応するリンク構成情報を削除する。前記端末が第２のサービスエリアに移動された場合、上記の第１の方式または第２の方式により第２のサービスに対応するリンク構成情報を取得し、ここで、第２のサービスのサービスエリアが、即ち、上記の第２のサービスエリアであることに留意されたい。
【００８７】
例えば、端末機器が前記第１エリアにある場合、ローカルに保存されたリンク構成情報を使用して、前記ネットワーク機器と前記第１サービスの伝送を実行し、上記の第１の方式または第２の方式により、更新されたリンク構成情報を取得した後、更新されたリンク構成情報を元の古いリンク構成情報に切り替え、このように、更新されたリンク構成情報に基づいて前記ネットワーク機器と前記第１サービスの伝送を実行することができる。
【００８８】
ステップ４０２において、前記端末機器は、前記第１サービスの第１接続に基づいて、前記第１エリアで、前記ネットワーク機器と前記第１サービスの伝送を実行し、ここで、前記端末機器が前記第１サービスエリアで移動する場合、ハンドオーバプロセスを実行する必要がない。
【００８９】
本発明の実施例では、端末機器は、サービスを確立するときに、確立されるサービス（即ち、第１サービス）に対応するサービスエリア（第１エリア）を提供することをネットワーク機器に要求することができ、具体的に、前記端末機器は、前記第１サービスに対するサービスエリア確立要求メッセージを前記ネットワーク機器に送信して、前記ネットワーク機器が前記端末機器の属性情報に従って、前記第１サービスに対して第１エリアを構成するようにする。一実施形態において、前記端末機器の属性情報は、端末レベル情報、端末タイプ情報、前記第１サービスの属性情報、ネットワークスライス情報、端末モビリティ情報のうちの少なくとも１つを含む。
【００９０】
図５は、本発明の実施例のサービス伝送装置の第１の例示的な構造的構成図であり、本実施例のサービス伝送装置はネットワーク機器に適用され、図５に示されたように、前記サービス伝送装置は、
第１サービスに対して第１エリアを構成するように構成される構成ユニット５０１と、
端末機器と前記第１サービスの第１接続を確立するように構成される確立ユニット５０２と、
前記第１サービスの第１接続に基づいて、前記ネットワーク機器と前記第１サービスの伝送を実行するように構成される通信ユニット５０３であって、前記端末機器が前記第１サービスエリアで移動する場合、ハンドオーバプロセスを実行する必要がない通信ユニット５０３とを含む。
【００９１】
一実施形態において、前記構成ユニット５０１は、さらに、前記第１サービスに、対応する第１接続を構成するように構成される。
【００９２】
一実施形態において、前記装置は、
前記第１サービスのサービス属性に従って、前記第１サービスに対応するエリア情報および／またはリンク構成情報を決定するように構成される決定ユニット５０４と、
前記第１サービスに対応するエリア情報および／またはリンク構成情報を前記端末機器に送信するように構成される送信ユニット５０５とをさらに含む。
【００９３】
一実施形態において、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【００９４】
一実施形態において、前記リンク構成情報は、
エアインターフェースリソース構成情報、ネットワーク機器間リンク構成情報、セキュリティ構成情報、非アクセス層構成情報のうちの少なくとも１つを含む。
【００９５】
一実施形態において、前記送信ユニット５０５は、前記端末機器によって送信された、前記エリア情報および／または前記リンク構成情報に対する要求メッセージを受信し、前記第１サービスに対応するエリア情報および／またはリンク構成情報を前記端末機器に送信するように構成される。
【００９６】
一実施形態において、前記送信ユニット５０５は、ブロードキャスト情報を送信するように構成され、ここで、前記ブロードキャスト情報は、前記第１サービスに対応するエリア情報および／またはリンク構成情報を搬送して、前記端末機器が前記ブロードキャスト情報から前記第１サービスに対応するエリア情報および／またはリンク構成情報を受信するようにする。
【００９７】
本発明の実施例では、前記リンク構成情報は、前記エリア情報に対応する前記第１エリアで有効である。
【００９８】
一実施形態において、前記構成ユニット５０１は、端末機器によって送信された、前記第１サービスに対するサービスエリア確立要求メッセージを受信し、前記端末機器の属性情報に従って、前記第１サービスに対して第１エリアを構成するように構成される。
【００９９】
一実施形態において、前記端末機器の属性情報は、
端末レベル情報、端末タイプ情報、前記第１サービスの属性情報、ネットワークスライス情報、端末モビリティ情報のうちの少なくとも１つを含む。
【０１００】
当業者は、図５に示されるサービス伝送装置の各ユニットによって実現される機能は、前述したサービス伝送方法に関する説明を参照することによって理解され得ることを理解されたい。図５に示されるサービス伝送装置の各ユニットの機能は、プロセッサで実行されるプログラムによって実現されてもよく、特定の論理回路によって実現されてもよい。
【０１０１】
図６は、本発明の実施例のサービス伝送装置の第２の例示的な構造的構成図であり、本実施例のサービス伝送装置は端末機器に適用され、図６に示されたように、前記サービス伝送装置は、
ネットワーク機器と第１サービスの第１接続を確立するように構成される確立ユニット６０１であって、前記第１サービスのサービスエリアは第１エリアである確立ユニット６０１と、
前記第１サービスの第１接続に基づいて、前記第１エリア内で、前記ネットワーク機器と前記第１サービスの伝送を実行するように構成される通信ユニット６０２であって、前記端末機器が前記第１サービスエリアで移動する場合、ハンドオーバプロセスを実行する必要がない通信ユニット６０２とを含む。
【０１０２】
一実施形態において、前記装置は、
前記ネットワーク機器によって送信された、前記第１サービスに対応するエリア情報および／またはリンク構成情報を受信するように構成される受信ユニット６０３をさらに含む。
【０１０３】
一実施形態において、前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含む。
【０１０４】
一実施形態において、前記リンク構成情報は、
エアインターフェースリソース構成情報、ネットワーク機器間リンク構成情報、セキュリティ構成情報、非アクセス層構成情報のうちの少なくとも１つを含む。
【０１０５】
一実施形態において、前記受信ユニット６０３は、前記エリア情報および／または前記リンク構成情報に対するリンク構成要求メッセージを前記ネットワーク機器に送信し、前記ネットワーク機器によって送信された、前記第１サービスに対応するエリア情報および／またはリンク構成情報を受信するように構成される。
【０１０６】
一実施形態において、前記受信ユニット６０３は、前記ネットワーク機器によって送信されたブロードキャスト情報を受信し、ここで、前記ブロードキャスト情報は、前記第１サービスに対応するエリア情報および／またはリンク構成情報を搬送し、前記ブロードキャスト情報から前記第１サービスに対応するエリア情報および／またはリンク構成情報を取得するように構成される。
【０１０７】
本発明の実施例では、前記リンク構成情報は、前記エリア情報に対応する前記第１エリアで有効である。
【０１０８】
一実施形態において、前記装置は、
前記ネットワーク機器によって送信された、前記第１サービスに対応するリンク構成情報を受信した後、前記第１サービスに対応するリンク構成情報を保存するように構成される記憶ユニット６０４をさらに含む。
【０１０９】
一実施形態において、前記通信ユニット６０２は、前記端末機器が前記第１エリアにある場合、ローカルに保存されたリンク構成情報を使用して、前記ネットワーク機器と前記第１サービスの伝送を実行し、または、前記ネットワーク機器によって送信された、更新されたリンク構成情報を受信し、前記更新されたリンク構成情報に基づいて、前記ネットワーク機器と前記第１サービスの伝送を実行するように構成される。
【０１１０】
一実施形態において、前記記憶ユニット６０４は、さらに、前記端末機器が前記第１エリアの外に移動された場合、保存した前記第１サービスに対応するリンク構成情報を削除するように構成される。
【０１１１】
一実施形態において、前記装置は、
前記第１サービスに対するサービスエリア確立要求メッセージを前記ネットワーク機器に送信して、前記ネットワーク機器が前記端末機器の属性情報に従って、前記第１サービスに対して第１エリアを構成するように構成されるサービスエリア要求ユニット６０５をさらに含む。
【０１１２】
一実施形態において、前記端末機器の属性情報は、
端末レベル情報、端末タイプ情報、前記第１サービスの属性情報、ネットワークスライス情報、端末モビリティ情報のうちの少なくとも１つを含む。
【０１１３】
当業者は、図６に示されるサービス伝送装置の各ユニットによって実現される機能は、前述のサービス伝送方法に関する説明を参照することによって理解され得ることを理解されたい。図６に示されるサービス伝送装置の各ユニットの機能は、プロセッサで実行されるプログラムによって実現されてもよく、特定の論理回路によって実現されてもよい。
【０１１４】
本発明の実施例で上記したサービス伝送装置がソフトウェア機能モジュールの形で実現され、スタンドアロン製品として販売または使用される場合、コンピュータ読み取り可能な記憶媒体に記憶されてもよい。このような理解に基づいて、本発明の実施例の技術的解決策は、本質的に、または既存の技術に貢献する部分は、ソフトウェア製品の形で具現化されることができ、当該コンピュータソフトウェア製品は、１つの記憶媒体に記憶されて、一台のコンピュータ機器（パーソナルコンピュータ、サーバ、またはネットワーク機器などであリ得る）が本発明の各実施例に記載の方法の全部または一部を実行するようにするためのいくつかの命令を含む。上記した記憶媒体は、Ｕディスク、モバイルハードディスク、読み取り専用メモリ（ＲＯＭ：Ｒｅａｄ  Ｏｎｌｙ  Ｍｅｍｏｒｙ）、磁気ディスクまたは光ディスクなどのプログラムコードを記憶することができる様々なメディアを含む。こうして、本発明の実施例は、いずれかのハードウェアおよびソフトウェアの特定の組み合わせに限定されない。
【０１１５】
対応的に、本発明の実施例は、コンピュータ実行可能な命令を記憶したコンピュータ記憶媒体をさらに提供し、前記コンピュータ実行可能な命令がプロセッサによって実行されるときに、本発明の実施例のサービス伝送方法を実現する。
【０１１６】
図７は、本発明の実施例のコンピュータ機器の例示的な構造的構成図であり、前記コンピュータ機器は、端末機器であってもよく、ネットワーク機器であってもよい。図７に示されたように、コンピュータ機器１００は、１つまたは複数の（図には１つのみ示す）プロセッサ１００２（プロセッサ１００２はマイクロコントローラユニット（ＭＣＵ：Ｍｉｃｒｏ  Ｃｏｎｔｒｏｌｌｅｒ  Ｕｎｉｔ）またはフィールドプログラマブルゲートアレイ（ＦＰＧＡ：Ｆｉｅｌｄ  Ｐｒｏｇｒａｍｍａｂｌｅ  Ｇａｔｅ  Ａｒｒａｙ）などの処理装置を含み得るが、これらに限定されない）、データを記憶するためのメモリ１００４、および通信機能のための伝送装置１００６を含むことができる。当業者は、図７に示される構造が単なる例示であって、前述の電子装置の構造を限定しないことを理解することができる。例えば、コンピュータ機器１００は、図７に示すものよりも多いまたは少ないコンポーネントを含み得るか、または図７に示すものとは異なる構成を有し得る。
【０１１７】
メモリ１００４は、本発明の実施例における方法に対応するプログラム命令／モジュールなどのアプリケーションプログラムのソフトウェアプログラムおよびモジュールを記憶するように構成されることができ、プロセッサ１００２は、メモリ１００４に記憶されたソフトウェアプログラムおよびモジュールを実行することにより、様々な機能アプリケーションおよびデータ処理を実行し、即ち、上記の方法を実現する。メモリ１００４は、高速ランダムアクセスメモリを含むことができ、１つまたは複数の磁気記憶装置、フラッシュメモリ、または他の不揮発性ソリッドステートメモリなどの不揮発性メモリをさらに含むことができる。一実施形態において、メモリ１００４は、プロセッサ１００２に対してリモートで設置されたメモリをさらに含むことができ、これらのリモートメモリは、ネットワークを介してコンピュータ機器１００に接続されることができる。上記のネットワークの例は、インターネット、イントラネット、ローカルエリアネットワーク、モバイル通信ネットワーク、およびそれらの組み合わせを含むが、これらに限定されない。
【０１１８】
伝送装置１００６は、１つのネットワークを介してデータを受信または送信するために使用される。上記したネットワークの具体的な例は、コンピュータ機器１００の通信事業者が提供する無線ネットワークを含むことができる。一例において、伝送装置１００６は、基地局を介して他のネットワーク機器と接続してインターネットと通信することができるネットワークインターフェースコントローラ（ＮＩＣ：Ｎｅｔｗｏｒｋ  Ｉｎｔｅｒｆａｃｅ  Ｃｏｎｔｒｏｌｌｅｒ）を含む。一例において、伝送装置１００６は、無線方式を介してインターネットと通信するために使用される無線周波数（ＲＦ：Ｒａｄｉｏ  Ｆｒｅｑｕｅｎｃｙ）モジュールであり得る。
【０１１９】
本発明の実施例で説明された技術的解決策は、競合しない場合、任意に組み合わせることができる。
【０１２０】
本発明によって提供されるいくつかの実施例では、開示された方法およびスマート機器は、他の方法で実現され得ることを理解されたい。上記で説明された機器の実施例は単なる例示的であり、例えば、前記ユニットの分割は論理的な機能の分割に過ぎない。実際の実現では、例えば、複数のユニットまたはコンポーネントを組み合わせたり、別のシステムに統合したり、一部の特徴を無視したり、実行しないなど、別の分割方法があることができる。なお、表示または議論される各構成要素間の相互結合または直接結合または通信接続は、いくつかのインターフェース、機器またはユニットを介した間接な結合または通信接続であり得、電気的、機械的または他の形態であり得る。
【０１２１】
上記の分離部材として説明されたユニットは、物理的に分離されている場合とされていない場合があり、ユニットとして表示された部材は、物理ユニットである場合もそうでない場合もあり、１箇所に配置される場合もあれば、複数のネットワークユニットに分散される場合もあり、実際の必要に応じて、その一部またはすべてのユニットを選択して、本実施例の技術案の目的を具現化することができる。
【０１２２】
なお、本発明の各実施例における各機能ユニットは、全部１つの第２処理ユニットに統合してもよく、各ユニットを別々に１つのユニットとして使用してもよく、２つ以上のユニットを１つのユニットに統合してもよい。上記の統合されたユニットは、ハードウェアの形態で、またはハードウェアおよびソフトウェア機能ユニットの形態で具現化することができる。
【０１２３】
上記の内容は、本発明の具体的な実施形態に過ぎないが、本発明の保護範囲はこれに限定されず、当業者は、本発明に開示された技術的範囲内で容易に想到し得る変更または置換は、すべて本発明の保護範囲内に含まれるべきである。
【図１】
2021514566.tif 000003
【図２】
2021514566.tif 000004
【図３】
2021514566.tif 000005
【図４】
2021514566.tif 000006
【図５】
2021514566.tif 000007
【図６】
2021514566.tif 000008
【図７】
2021514566.tif 000009
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
サービス伝送方法であって、
ネットワーク機器が、第１サービスに対して第１エリアを構成することと、
前記ネットワーク機器が、端末機器と前記第１サービスの第１接続を確立することと、
前記ネットワーク機器が、前記第１サービスの第１接続に基づいて、前記端末機器と前記第１サービスの伝送を実行することであって、前記端末機器が前記第１エリアで移動する場合、ハンドオーバプロセスを実行する必要がないこととを含む、前記サービス伝送方法。
【請求項２】
前記方法は、
前記ネットワーク機器が、端末機器と前記第１サービスの第１接続を確立する場合、前記第１サービスのサービス属性に従って、前記第１サービスに対応するエリア情報および／またはリンク構成情報を決定することと、
前記ネットワーク機器が、前記第１サービスに対応するエリア情報および／またはリンク構成情報を前記端末機器に送信することとをさらに含む、
請求項１に記載のサービス伝送方法。
【請求項３】
前記エリア情報は、
登録エリアリスト情報、トラッキングエリアリスト情報、セルリスト情報、周波数ポイントリスト情報、アクセスネットワークページングエリアリスト情報、サービスエリア情報、ネットワークスライス情報のうちの少なくとも１つを含み、
または、
前記リンク構成情報は、
エアインターフェースリソース構成情報、ネットワーク機器間リンク構成情報、セキュリティ構成情報、非アクセス層構成情報のうちの少なくとも１つを含む、
請求項２に記載のサービス伝送方法。
【請求項４】
サービス伝送方法であって、
端末機器が、ネットワーク機器と第１サービスの第１接続を確立することであって、前記第１サービスのサービスエリアは第１エリアであることと、
前記端末機器が、前記第１サービスの第１接続に基づいて、前記第１エリアで、前記ネットワーク機器と前記第１サービスの伝送を実行することであって、前記端末機器が前記第１エリアで移動する場合、ハンドオーバプロセスを実行する必要がないこととを含む、前記サービス伝送方法。
【請求項５】
前記方法は、
前記端末機器が前記ネットワーク機器と前記第１サービスの第１接続を確立する場合、前記ネットワーク機器によって送信された、前記第１サービスに対応するエリア情報および／またはリンク構成情報を受信することをさらに含む、
請求項４に記載のサービス伝送方法。
【請求項６】
前記端末機器が、前記ネットワーク機器によって送信された、前記第１サービスに対応するエリア情報および／またはリンク構成情報を受信することは、
前記端末機器が、前記ネットワーク機器によって送信されたブロードキャスト情報を受信することであって、前記ブロードキャスト情報は、前記第１サービスに対応するエリア情報および／またはリンク構成情報を搬送することと、
前記端末機器が、前記ブロードキャスト情報から前記第１サービスに対応するエリア情報および／またはリンク構成情報を取得することとを含む、
請求項５に記載のサービス伝送方法。
【請求項７】
前記リンク構成情報は、前記エリア情報に対応する前記第１エリアで有効であり、
および、
前記方法は、
前記端末機器が、前記ネットワーク機器によって送信された、前記第１サービスに対応するリンク構成情報を受信した後、前記第１サービスに対応するリンク構成情報を保存することをさらに含む、
請求項５または６に記載のサービス伝送方法。
【請求項８】
前記方法は、
前記端末機器が前記第１エリアにある場合、ローカルに保存されたリンク構成情報を使用して、前記ネットワーク機器と前記第１サービスの伝送を実行すること、または、前記ネットワーク機器によって送信された、更新されたリンク構成情報を受信し、前記更新されたリンク構成情報に基づいて、前記ネットワーク機器と前記第１サービスの伝送を実行すること、
または、
前記端末機器が前記第１エリアの外に移動された場合、保存した前記第１サービスに対応するリンク構成情報を削除することをさらに含む、
請求項７に記載のサービス伝送方法。
【請求項９】
前記方法は、
前記端末機器が、前記第１サービスに対するサービスエリア確立要求メッセージを前記ネットワーク機器に送信して、前記ネットワーク機器が前記端末機器の属性情報に従って、前記第１サービスに対して第１エリアを構成するようにすることをさらに含み、
および
前記端末機器の属性情報は、
端末レベル情報、端末タイプ情報、前記第１サービスの属性情報、ネットワークスライス情報、端末モビリティ情報のうちの少なくとも１つを含む、
請求項４ないし８のいずれか一項に記載のサービス伝送方法。
【請求項１０】
端末機器に適用されるサービス伝送装置であって、
ネットワーク機器と第１サービスの第１接続を確立するように構成される確立ユニットであって、前記第１サービスのサービスエリアは第１エリアである確立ユニットと、
前記第１サービスの第１接続に基づいて、前記第１エリアで、前記ネットワーク機器と前記第１サービスの伝送を実行するように構成される通信ユニットであって、前記端末機器が前記第１エリアで移動する場合、ハンドオーバプロセスを実行する必要がない通信ユニットとを含む、前記サービス伝送装置。
【請求項１１】
前記装置は、さらに、
前記ネットワーク機器によって送信された、前記第１サービスに対応するエリア情報および／またはリンク構成情報を受信するように構成される受信ユニットを含む、
請求項１０に記載のサービス伝送装置。
【請求項１２】
前記受信ユニットは、前記第１サービスに対応するエリア情報および／または前記第１サービスに対応するリンク構成情報に対するリンク構成要求メッセージを前記ネットワーク機器に送信し、前記ネットワーク機器によって送信された、前記第１サービスに対応するエリア情報および／またはリンク構成情報を受信するように構成される、
請求項１１に記載のサービス伝送装置。
【請求項１３】
前記装置は、さらに、
前記ネットワーク機器によって送信された、前記第１サービスに対応するリンク構成情報を受信した後、前記第１サービスに対応するリンク構成情報を保存するように構成される記憶ユニットを含む、
請求項１１ないし１２のいずれか一項に記載のサービス伝送装置。
【請求項１４】
前記通信ユニットは、前記端末機器が前記第１エリアにある場合、ローカルに保存されたリンク構成情報を使用して、前記ネットワーク機器と前記第１サービスの伝送を実行し、または、前記ネットワーク機器によって送信された、更新されたリンク構成情報を受信し、前記更新されたリンク構成情報に基づいて、前記ネットワーク機器と前記第１サービスの伝送を実行するように構成され、
または、
前記記憶ユニットは、さらに、前記端末機器が前記第１エリアの外に移動された場合、保存した前記第１サービスに対応するリンク構成情報を削除するように構成される、
請求項１３に記載のサービス伝送装置。
【請求項１５】
前記装置は、
前記第１サービスに対するサービスエリア確立要求メッセージを前記ネットワーク機器に送信して、前記ネットワーク機器が前記端末機器の属性情報に従って、前記第１サービスに対して第１エリアを構成するように構成されるサービスエリア要求ユニットをさらに含む、
請求項１０ないし１４のいずれか一項に記載のサービス伝送装置。
【国際調査報告】
2021514566.tif 000010
2021514566.tif 000011
2021514566.tif 000012
2021514566.tif 000013